(57)【要約】【課題】面発光体を有するものの、既存の直管型の蛍光灯用の取付機構に対して容易に取り付けることできる照明装置を提供すること。【解決手段】一対の支持部によって支持される照明装置であって、面発光体と、前記一対の支持部に着脱自在な一対の接続部が両端に配置された棒状体と、前記面発光体を前記棒状体から吊り下げるとともに、前記面発光体への電力供給路をなす電力配線と、を有し、前記電力配線は、前記棒状体の周方向において移動自在であること。【選択図】図１
2014078320.tif 000002
【特許請求の範囲】
【請求項１】
一対の支持部によって支持される照明装置であって、
面発光体と、
前記一対の支持部に着脱自在な一対の接続部が両端に配置された棒状体と、
前記面発光体を前記棒状体から吊り下げるとともに、前記面発光体への電力供給路をなす電力配線と、を有し、
前記電力配線は、前記棒状体の周方向において移動自在であることを特徴とする照明装置。
【請求項２】
前記電力配線は、前記棒状体の伸長方向を回動軸として回動自在であることを特徴とする請求項１に記載の照明装置。
【請求項３】
前記棒状体から前記面発光体までの距離は、可変であることを特徴とする請求項１又は２に記載の照明装置。
【請求項４】
前記電力配線を前記棒状体の内部に引き込む巻き上げ機構を有することを特徴とする請求項３に記載の照明装置。
【請求項５】
前記電力配線は、伸縮自在であることを特徴とする請求項３に記載の照明装置。
【請求項６】
前記棒状体から前記面発光体までの距離を一定に保持するストッパ機構を有することを特徴とする請求項３乃至５のいずれか１項に記載の照明装置。
【請求項７】
前記棒状体は、前記面発光体に供給する電力を制御する電力制御回路を備えることを特徴とする請求項１乃至６のいずれか１項に記載の照明装置。
【請求項８】
前記接続部は、前記電力制御回路と外部電源とを電気的に接続することを特徴とする請求項７に記載の照明装置。
【請求項９】
前記棒状体は、前記電力制御回路と外部電源とを電気的に接続する電気的接続部を有することを特徴とする請求項７に記載の照明装置。
【請求項１０】
前記面発光体は、前記面発光体の表面の一部分を前記一対の支持部の周辺に固着する固着部を有することを特徴とする請求項１乃至９のいずれか１項に記載の照明装置。
【請求項１１】
前記固着部は、磁性体であることを特徴とする請求項１０に記載の照明装置。
【請求項１２】
前記固着部は、粘着テープであることを特徴とする請求項１０に記載の照明装置。
【請求項１３】
前記面発光体は、回動自在に接続された複数の面発光パネルからなることを特徴とする請求項１乃至１２のいずれか１項に記載の照明装置。
【請求項１４】
前記面発光体は、可撓性を備える面発光パネルからなることを特徴とする請求項１乃至１２のいずれか１項に記載の照明装置。
【請求項１５】
前記面発光パネルは、一枚構造を有することを特徴とする請求項１４に記載の照明装置。
【請求項１６】
前記面発光体は、有機エレクトロルミネッセンスパネルであることを特徴とする請求項１乃至１５のいずれか１項に記載の照明装置。
【発明の詳細な説明】
【技術分野】
【０００１】
本発明は、面発光体を有する照明装置に関する。
【背景技術】
【０００２】
照明用機器として白熱電球や蛍光灯が、従来から広く使用されている。これに対し、近年の面発光照明機器が、そのソフトな印象の光を照射できることや省エネルギー性能に優れていることなどの理由から次世代照明として注目を浴びており、有機エレクトロルミネッセンス（有機ＥＬ（Electro Luminescence）、ＯＥＬ：Organic Electro Luminescence）、無機エレクトロルミネッセンス、或いは発光ダイオードと導光板とを組合せたものが開発されている。これらの中において、有機ＥＬは、機器の小型軽量化が可能であり、発熱量も小さいといった点で注目されている。
【０００３】
有機ＥＬは有機物質からなる発光材料に電圧を印可してエネルギーを付与し、励起された当該発光材料が元の状態に戻る際に、光としてエネルギーを放出する現象のことをいう。有機ＥＬ技術を用いた発光素子である有機ＥＬ素子には、有機物質からなる発光材料を含む有機層と、当該有機層を挟むように対向した２個の電極（陰極及び陽極）と、を基板上に順次積層した構造が一般的に用いられている。
【０００４】
有機ＥＬは、発光材料の種類を変えることによって発光波長を変更することができるため、例えば赤色、緑色、青色の３種類の発光材料を混合することにより、有機ＥＬ素子から白色光を得ることができる。また、例えば異なる発光材料を含んだ２種類以上の有機ＥＬ素子をストライプ状に交互に形成することにより、各々の有機ＥＬ素子に独立して電流を供給する可変色の照明パネルを得ることができる。
【０００５】
このような照明パネルは、一般的な照明用途に用いることができる他、建屋内、乗物内のインテリア、またはエクステリアなどに用いることも可能である。有機ＥＬ素子を用いた発光パネルを一般的な照明として用いた例が、例えば、特許文献１に記載されている。
【先行技術文献】
【特許文献】
【０００６】
【特許文献１】特開２０１１−１８４８３号公報
【発明の概要】
【発明が解決しようとする課題】
【０００７】
しかしながら、有機ＥＬ素子を用いた照明装置の開発は進んでいるものの、従来の照明装置は依然として様々な場所に使用されており、特に、直管型の蛍光灯は屋内及び屋外に多く使用されている。このため、屋内及び屋外には直管型の蛍光灯用の取付機構が設けられているが、有機ＥＬ素子を用いた照明装置は蛍光灯とは外形が異なるため、当該取付機構を介して当該照明装置をそのまま設置することができず、既存の蛍光灯に代えて当該照明装置を容易に取り付けることができなかった。
【０００８】
また、蛍光灯用の取付機構を取り外し、有機ＥＬ素子を用いた照明装置を設置することができる取付機構を設けようとすると、比較的に大がかりな工事となり、高い工事費用が必要となる。
【０００９】
本発明はこのような課題に鑑みてなされたものであり、その目的とするところは、面発光体を有するものの、既存の直管型の蛍光灯用の取付機構に対して容易に取り付けることできる照明装置を提供することにある。
【課題を解決するための手段】
【００１０】
上述した目的を達成するため、本発明の照明装置は、一対の支持部によって支持される照明装置であって、面発光体と、前記一対の支持部に着脱自在な一対の接続部が両端に配置された棒状体と、前記面発光体を前記棒状体から吊り下げるとともに、前記面発光体への電力供給路をなす電力配線と、を有し、前記電力配線は、前記棒状体の周方向において移動自在であることを特徴とする。
【発明の効果】
【００１１】
本発明によれば、従来の直管型の蛍光灯とは異なる光出射特性を有する面発光体を光源としつつも、従来の直管型の蛍光灯の取付機構に対して容易に着脱することができる照明装置を提供することができる。
【図面の簡単な説明】
【００１２】
【図１】実施例に係る照明装置の概略構成斜視図である。
【図２】実施例に係る照明装置の構成部材である面発光体の正面図である。
【図３】実施例に係る照明装置の構成部材である面発光体の裏面図である。
【図４】実施例に係る照明装置の構成部材である有機ＥＬパネルの斜視図である。
【図５】実施例に係る照明装置の構成部材である有機ＥＬパネルの断面図である。
【図６】ＸＹ平面にて一部を切断した状態の棒状体の内部を示した平面図である。
【図７】ＸＺ平面における図６の棒状体の拡大断面図である。
【図８】図６の棒状体の一端部分の拡大図である。
【図９】実施例に係る照明装置の部分的な電気回路図である。
【図１０】実施例に係る照明装置を照明装置用取付部に取り付けた際のＹＺ平面図である。
【図１１】実施例に係る照明装置を照明装置用取付部に取り付けた際のＹＺ平面図である。
【図１２】実施例に係る照明装置を照明装置用取付部に取り付けた際のＹＺ平面図である。
【図１３】実施例に係る照明装置を照明装置用取付部に取り付けた際のＹＺ平面図である。
【図１４】実施例に係る照明装置を照明装置用取付部に取り付けた際のＹＺ平面図である。
【図１５】実施例に係る照明装置を照明装置用取付部に取り付けた際のＹＺ平面図である。
【図１６】実施例に係る照明装置を照明装置用取付部に取り付けた際のＹＺ平面図である。
【図１７】実施例に係る照明装置を照明装置用取付部に取り付けた際のＹＺ平面図である。
【図１８】図８と同様にして示す、変形例に係る棒状体の一端部分の拡大図である。
【図１９】図８と同様にして示す、変形例に係る棒状体の一端部分の拡大図である。
【図２０】図７と同様にして示す、変形例に係る棒状体のＸＺ平面における拡大断面図である。
【図２１】変形例に係る照明装置を照明装置用取付部に取り付けた際のＹＺ平面図である。
【図２２】変形例に係る照明装置を照明装置用取付部に取り付けた際のＹＺ平面図である。
【発明を実施するための形態】
【００１３】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、実施例及び変形例の説明に用いる図面は、いずれも本発明による照明装置及びその構成部材を模式的に示すものであって、理解を深めるべく部分的な強調、拡大、縮小、または省略などを行っており、各構成部材の縮尺や形状等を正確に表すものとはなっていない場合がある。更に、実施例及び変形例で用いる様々な数値は、いずれも一例を示すものであり、必要に応じて様々に変更することが可能である。
【実施例】
【００１４】
＜照明装置の全体構成＞
先ず、図１を参照しつつ、本発明の実施例に係る照明装置の全体構成を説明する。図１は、本実施例に係る照明装置１の概略構成斜視図である。図１において、照明装置１の伸長方向をＸ方向、照明装置１の幅方向（当該伸長方向に直交する方向）をＹ方向、照明装置１の高さ方向をＺ方向と定義する。
【００１５】
図１から分かるように、照明装置１は、光照射面側全体で発光（すなわち、面発光）する面発光体２、従来から存在する公知の蛍光灯を取り付けるための１対の支持部（蛍光灯の口金が差し込まれる部材であるソケット）に対して着脱自在な棒状体３、及び面発光体２を棒状体３から吊り下げるとともに面発光体２への電力供給路をなす電力配線４を有している。従って、本実施例に係る照明装置１においては、当該１対の支持部を介して棒状体３に供給される外部電力が、電力配線４を経由して面発光体２に供給され、これによって面発光体２から所望の光が照射され、照明装置１の周囲が当該光によって照らされることになる。
【００１６】
以下に、おいて、照明装置１を構成する面発光体２、棒状体２、電力配線４について、図１乃至図９を参照しつつ詳細に説明する。
【００１７】
（面発光体）
先ず、図１乃至図３を参照しつつ面発光体２の全体的な構造について詳細に説明する。ここで、図２は本実施例に係る面発光体２の正面図（すなわち、発光面側の平面図）であり、図３は本実施例に係る面発光体２の裏面図（すなわち、非発光面側の平面図）である。なお、図２及び図３におけるＸ方向及びＹ方向は、図１におけるＸ方向及びＹ方向に対応している。
【００１８】
図１乃至図３から分かるように、面発光体２は、板状に形成された２枚の有機エレクトロルミネッセンスパネル（有機ＥＬパネル）２ａがヒンジ２ｂによって接続された構造を有している。より具体的には、Ｘ方向に延在する長辺と、Ｙ方向に延在する短辺とからなる長方形状の有機ＥＬパネル２ａの長辺同士がヒンジ２ｂによって接続され、２枚の有機ＥＬパネル２ａは、ヒンジ２ｂを回動軸として自在に回動する。ここで、ヒンジ２ｂにはバネ等からなる回動抑制機構が設けられており、２枚の有機ＥＬパネル２ａの接合角度を０度から１８０度の範囲において自在に変更することができる。また、ヒンジ２ｂは、面発光体２の発光面とは反対側（すなわち、非発光面側）に取り付けられている。このような構造から、面発光体２は、全体として平坦な形状を形成することができ、更には全体として２枚の有機ＥＬパネル２ａの境界で折り曲げられた形状を形成することもできる。
【００１９】
また、図３に示すように、有機ＥＬパネル２ａのそれぞれの裏面には、２個の外部接続パッド２ｃ、２ｄが形成されている。外部接続パッド２ｃ、２ｄには電力配線４が電気的に接続されている。ここで、外部接続パッド２ｃが有機ＥＬパネル２ａの陽極と電気的に接続しており、外部接続パッド２ｄが有機ＥＬパネル２ａの陰極と電気的に接続している。これにより、有機ＥＬパネル２ａに所望の電力を供給することが可能となり、有機ＥＬパネル２ａを面発光させることができる。なお、外部接続パッド２ｃ、２ｄと電力配線４とは、半田等により接合されてもよく、着脱自在とする機械的な接続機構によって接続されてもよい。
【００２０】
次に、照明装置１の面発光体２を構成する有機ＥＬパネル２ａについて、図４及び図５を参照しつつ詳細に説明する。ここで、図４は本実施例に係る有機ＥＬパネル２ａの斜視図であり、図５は本実施例に係る有機ＥＬパネル２ａの断面図である。なお、図４及び図５におけるＸ方向、Ｙ方向、及びＺ方向は、図１におけるＸ方向、Ｙ方向、及びＺ方向に対応している。
【００２１】
図４に示すように、有機ＥＬパネル２ａは、透明基板１１、有機ＥＬ素子１２、光拡散部１３、及び封止部１４から構成されている。また、有機ＥＬ素子１２は、発光色が赤色である有機ＥＬ素子１２Ｒ、発光色が緑色である有機ＥＬ素子１２Ｇ、発光色が青色である有機ＥＬ素子１２Ｂの３種類に分類される。
【００２２】
本実施例において、透明基板１１は、ガラス製の基板である。なお、透明基板１１は、可視光を透過する特性を有する基板であればよく、例えば、ポリエステル、ポリメタクリレート、ポリカーボネート、ポリイミド、ポリエチレンテレフタレート、ポリエチレンナフタレート又はポリスルホン等の透明な樹脂；セラミックスなどから構成されてもよい。
【００２３】
より具体的な有機ＥＬパネル２ａの構成として、透明基板１１の有機ＥＬ素子形成面１１ａ上には、有機ＥＬ素子１２Ｒ、有機ＥＬ素子１２Ｇ、及び有機ＥＬ素子１２Ｂが各々複数個ずつ、隣接する素子同士が互いに離間してストライプ状に並設されている。これらの有機ＥＬ素子は、有機ＥＬ素子１２Ｒ、１２Ｇ、１２Ｂの順序で繰り返して並置されている。このような構成により、有機ＥＬ素子１２Ｒから放射される赤色の光、有機ＥＬ素子１２Ｇから放射される緑色の光、及び有機ＥＬ素子１２Ｂから放射される青色の光を合成し、有機ＥＬパネル２ａから全体的に均一色の合成光を放射することになる。なお、各色の光を放射する有機ＥＬ素子１２Ｒ、１２Ｇ、１２Ｂのそれぞれの個数は１個ずつであってもよいが、発光面の拡大化及び有機ＥＬパネル２ａの高輝度化及び良好な光の混合を図る場合には、多くの有機ＥＬ素子１２Ｒ、１２Ｇ、１２Ｂを並置することが好ましい。なお、本実施例において、有機ＥＬ素子１２Ｒ、１２Ｇ、１２Ｂは、空隙１８によって分断されているが、空隙１８の代わりに、樹脂等による隔壁（図示せず）を設けて各素子を分断してもよい。
【００２４】
図５に示すように、発光色が赤色である有機ＥＬ素子１２Ｒは、透明基板１１上に形成された陽極（透明電極）１５Ｒ、陽極１５Ｒ上に形成された有機層１６Ｒ、及び有機層１６Ｒ上に形成された陰極（金属電極）１７Ｒから構成されている。同様に、発光色が緑色である有機ＥＬ素子１２Ｇは、透明基板１１上に形成された陽極（透明電極）１５Ｇ、陽極１５Ｇ上に形成された有機層１６Ｇ、有機層１６Ｇ上に形成された陰極（金属電極）１７Ｇから構成され、発光色が青色である有機ＥＬ素子１２Ｂは、透明基板１１上に形成された陽極（透明電極）１５Ｂ、陽極１５Ｂ上に形成された有機層１６Ｂ、有機層１６Ｂ上に形成された陰極（金属電極）１７Ｂから構成されている。なお、陽極１５Ｒ、１５Ｇ、１５Ｂのいずれかを選択しない場合には単に陽極１５と称し、有機層１６Ｒ、１６Ｇ、１６Ｂのいずれかを選択しない場合には単に有機層１６と称し、陰極１７Ｒ、１７Ｇ、１７Ｂのいずれかを選択しない場合には単に陰極１７と称する場合がある。すなわち、本実施例において、透明基板１１上には、各有機ＥＬ素子１２を構成する陽極１５、有機層１６及び陰極１７が順次積層されている。
【００２５】
また、陽極１５、有機層１６及び陰極１７の平面形状（すなわち、面積）は略同一である。従って、陽極１５、有機層１６及び陰極１７の側面は同一平面であり、有機ＥＬ素子１２の形状は、直方体である。
【００２６】
本実施例においては、陽極１５は、インジウム錫酸化物（ＩＴＯ）から構成されている。このため、陽極１５は、有機層１６に正孔を注入する機能を有し、且つ有機層１６からの発光に対して透光性を備えている。すなわち、陽極１５は、透明電極として機能する。陽極１５の形成は、スパッタリング法や真空蒸着法等により行われる。陽極１５の表面には、陽極１５上の不純物除去や、イオン化ポテンシャルの調整による正孔注入性向上の点から、紫外線照射やオゾン処理をしてから有機層１６を形成することが好ましい。
【００２７】
なお、陽極１５は、インジウム錫酸化物から構成されていることに限定されることなく、有機層１６に正孔を注入する機能を有し、且つ有機層１６からの発光に対して透光性を備えていれば、例えば、インジウム亜鉛酸化物等の金属酸化物、アルミニウム、金、銀、ニッケル、パラジウム、白金等の金属、ヨウ化銅等のハロゲン化金属、カーボンブラック、ポリ（３−メチルチオフェン）、ポリピロール等の導電性高分子等から構成されてもよい。また、陽極１５は、有機ＥＬ素子１２Ｒ、１２Ｇ、１２Ｂ毎に異なる材料から構成されてもよい。
【００２８】
図５において図示されていないが、有機ＥＬ素子は、更に正孔注入層、正孔輸送層、電子輸送層及び／又は電子注入層を有していてもよい。その場合、陽極１５側から正孔注入層、正孔輸送層、発光層、電子輸送層及び電子注入層の順に積層された構造を有していることが好ましい。なお、このような積層構造の場合、有機層１６は正孔注入層、正孔輸送層、発光層、電子輸送層及び電子注入層から構成されてもよく、これらの一部の層から構成されてもよい。すなわち、各層の材料に有機材料を用いるか否かによって、有機層１６を構成する層が異なってくる。
【００２９】
上記正孔注入層及び正孔輸送層は、正孔輸送性の材料から形成されることが好ましく、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、電子輸送層は、電子輸送性の材料から形成されることが好ましく、例えば、８−ヒドロキシキノリンのアルミニウム錯体などの金属錯体、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。電子注入層は、仕事関数の低い金属からなることが好ましい。例としては、ナトリウムやセシウム等のアルカリ金属、バリウムやカルシウムなどのアルカリ土類金属などが挙げられる。
【００３０】
上記発光層に用いられる発光材料としては、以下のものが挙げられる。赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。また、緑色発光を与える発光材料としては、例えば、キナクリドン誘導体、クマリン誘導体、Ａｌ（Ｃ9Ｈ6ＮＯ）3等のアルミニウム錯体等が挙げられる。更に、青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。なお、上述した発光材料は、いずれか１種類のみを用いてもよく、２種類以上を任意の組み合わせ及び比率で併用してもよい。
【００３１】
本実施例においては、陰極１７は、透光性を有する必要がないため、アルミニウムから構成されている。すなわち、陰極１７は金属電極である。陰極１７の形成は、スパッタリング法や真空蒸着法等により行われる。なお、陰極１７は、アルミニウムに限定されること無く、例えば、スズ、マグネシウム、インジウム、カルシウム、銀等の金属又はそれらの合金等が用いられる。具体例としては、マグネシウム−銀合金、マグネシウム−インジウム合金、アルミニウム−リチウム合金等の低仕事関数の合金電極等が挙げられる。また、陰極１７は、有機ＥＬ素子１２Ｒ、１２Ｂ、１２Ｇ毎に異なる材料から構成されてもよい。
【００３２】
図４及び図５に示すように、光拡散部１３は、透明基板１１の有機ＥＬ素子非形成面１１ｂの全面を覆うように形成されている。光拡散部１３は、有機ＥＬ素子１２から放射される各色の光を拡散させ、均一に混色させる効果がある。このような効果により、ガラス基板である透明基板１１と光拡散部１３とからなる部材は、全体が単一の光源として機能する。本実施例において、光拡散部１３は透明樹脂に微粒子を分散したフィルムから構成されている。なお、光拡散部１３は、このフィルムに限定されることなく、例えば、基板表面を粗面化することによっても形成できる。
【００３３】
上述したように、透明基板１１は各有機ＥＬ素子１２から放射された各色の光を透過する特性を備えている。このため、図５に示すように、各有機ＥＬ素子１２から放射された光は、透明基板１１及び光拡散部１３を透過して、有機ＥＬ面発光パネル２から外部へ放射される。
【００３４】
図４及び図５に示すように、封止部１４は、各有機ＥＬ素子１２を覆い、各有機ＥＬ素子１２の発光材料が大気によって酸化劣化すること等を防止する機能がある。また、封止部１４は空隙１８を充填し、透明基板１１の有機ＥＬ素子形成面１１ａが露出しないように形成されている。本実施例において、封止部１４は、透光性を備えるエポキシ樹脂である。なお、封止部１４は、エポキシ樹脂以外にもシリコーン樹脂等の透光性を備える他の透明樹脂であってもよい。
【００３５】
また、封止部１４は、上述したような樹脂から構成されていることに限定されることはない。例えば、封止部１４は、複数の有機ＥＬ素子１２を全体的に覆うようなプラスチック等の透光性部材であってもよい。このような場合には、空隙１８は、封止部１４によって充填されることがない。
【００３６】
本実施例においては、ボトムエミッションタイプの有機ＥＬパネル２ａを用いたが、トップエミッションタイプの有機ＥＬパネルを用いてもよい。この場合には、複数の有機ＥＬ素子１２を支持する透明基板１１に代えて不透明な各種の支持基板を用いることができるが、この場合、陰極はＩＴＯ等の透明電極にすることが好ましい。また、上述した実施例においては、有機ＥＬ発光素子１２ごとに発光色の異なる有機層１６が用いられていたが、全ての有機ＥＬ発光素子１２の有機層１６が、赤色光用の発光材料、緑色光用の発光材料、及び青色光用の発光材料が均一に分散された高分子分散型のＥＬ材料から構成されてもよい。また、赤色光用の発光材料からなる層、緑色光用の発光材料からなる層、及び青色光用の発光材料からなる層を積層した積層型の有機ＥＬ発光素子を用いてもよい。更に、本発明に係る面発光体２は、有機ＥＬパネル２ａから構成されることに限定されることなく、比較的に小型且つ軽量であれば、他の種類の面発光パネルから構成されていてもよい。
【００３７】
（棒状体）
次に、図１、及び図６乃至図８を参照しつつ、棒状体３の構成について詳細に説明する。図６は、ＸＹ平面にて一部を切断した状態の棒状体３の内部を示した平面図である。図７は、ＸＺ平面における棒状体３の拡大断面図である。図８は、棒状体３の一端部分の拡大図である。なお、図６乃至図８におけるＸ方向、Ｙ方向、及びＺ方向は、図１におけるＸ方向、Ｙ方向、及びＺ方向に対応している。
【００３８】
図１、図６及び図７から分かるように、棒状体３は、環状の筐体部２１、筐体部２１の両端に回動自在に取付られた２個の回動体部２２、回動体部２２のそれぞれに取付られた接続部２３、筐体部２１の内部に配置され接続部２３と電気的に接続された電力制御回路２４、筐体部２１の内部の両端に配置された電力配線収納部２５から構成されている。棒状体３は、その全体的な形状が既知の蛍光灯と同一の形状であるものの、発光することはない。また、棒状体３は、既知の蛍光灯が嵌め込まれている一対の支持部（すなわち、蛍光灯用のソケット）に接続部２３を嵌め込むことにより、既知の蛍光灯と同様に取り付けることができる。
【００３９】
筐体部２１は、その外形が円柱であって、内部に空洞２１ａが形成された、いわゆる管状体である。筐体部２１は、外部から加わる外力によっても破損等が生じないように、比較的に強固な材料から構成されている。例えば、筐体部２１は、ガラス又はプラスチック等の材料から構成されている。なお、筐体部２１は、透明であってもよく、内部が目視できないような着色されていてもよい。また、筐体部２１は、電力制御回路２４及び電力配線収納部２５を配置したのちに、空洞２１ａを樹脂等の封止部材によって充填してもよい。更には、筐体部２１は、電力制御回路２４及び電力配線収納部２５を内部に配置することができれば管状体に限られることなく、一部に空洞が形成されているような棒状の材料から構成されてもよい。
【００４０】
図８に示すように、回動体部２２は、筐体部２１に対して相対的に回動自在に取付けられている。具体的な構造として、回動体部２２の外形は略円柱状であって、その内部がくり抜かれている。また、回動体部２２は、筐体部２１との連結部分側に、内部に向かって突出した凸部２２ａを有している。一方、筐体部２１は、回動体部２２との連結部分側に、回動体部２２に向かって突出し且つ外側に向かっても突出している凸部２１ｂを有している。そして、回動体部２２は、樹脂又はプラスチックから形成されているため、回動体部２２を筐体部２１の先端に向けて押し込むことで、筐体部２１の凸部２１ｂと回動体部２２の凸部２２ａとが互いに接触しつつ連結されることになる。このような連結により、摩擦は生じるものの、回動体部２２を筐体部２１に対して相対的且つ自在に回動させることができる。なお、筐体部２１の両端にボールベアリングを設け、当該ボールベアリングを介して回動体部２２を連結してもよい。
【００４１】
接続部２３は、円柱状に形成された金属部材である。接続部２３は、回動体部２２のそれぞれの中央部に対をなすように２個設けられている。これは、既存の蛍光灯用のソケットに対応するためであり、蛍光灯ソケットの形状が異なれば、それに対応するように接続部２３を設けることになる。また、接続部２３は、回動体部２２を貫通するように設けられ、回動体部２２の内側にまで到達している。これは、接続部２３と電力制御回路２４とを接続配線（図示せず）を介して電気的に接続するためである。
【００４２】
電力制御回路２４は、筐体部２１の内部に収納されており、筐体部２１の内面に接着剤又はネジ等を用いて固定されている。また、電力制御回路２４は、接続部２３と接続配線（図示せず）を介して電気的に接続されている。電力制御回路２４は、面発光体２から照射される光の色、色度、輝度等の発光特性を制御すべく、接続部２３を介して供給される外部電力を調整し、電力配線４を介して調整後の所望の電力を面発光体２に供給する。なお、電力制御回路２４の具体的な回路構成については後述する。
【００４３】
電力配線収納部２５は、電力配線４を収納し、且つ収納された電力配線４を自在に出し入れすることができる、いわゆるワイヤー巻き取り装置から構成されている。電力配線収納２５は、内部にゼンマイ式のバネ（図示せず）からなる巻き取りドラム（図示せず）が収納されており、当該バネの復元力を利用して電力配線４を引き込み且つ収納している。すなわち、本実施例において、電力配線収納部２５は、電力配線４を引き込む巻き上げ機構として、当該巻き取りドラムを内部に備えていることになる。また、当該巻き取りドラムにはバネと接触してバネの復元力による電力配線４の引き込みを防止するラチェット式のツメ（図示せず）が設けられており、これによって電力配線４が引き出された状態を保持することができる。すなわち、本実施例において、電力配線収納部２５は、引き出された電力配線４の長さ（棒状体３から面発光体２までの距離）を一定に保持するストッパ機構として、当該ツメを内部に備えていることになる。更に、本実施例においては、電力配線４を再度下方（−Ｚ方向）に引っ張ることにより、当該バネと当該ツメとの接触が解除され、電力配線４が電力配線収納部２５に引き込まれる（すなわち、巻き上げられる）ことになる。以上のような構成によって電力配線４の引き出し長さを調整することができるため、面発光体２から棒状体３までの距離を自在に変更することができる。換言すれば、電力配線４は伸縮自在であり、また面発光体２から棒状体３までの距離は可変である。
【００４４】
ここで、筐体部２１の電力配線収納部２５が設けられた領域（すなわち、電力収納配線部２５の直下）の一部には貫通孔２１ｃが設けられており、電力配線４の一端が当該貫通孔２１ｃを経由して電力配線収納部２５の内部に導かれている。
【００４５】
なお、電力配線収納部２５における巻き上げ機構及びストッパ機構は、上述したものが一例に過ぎず、ワイヤー又はコード等を自在に引き出し且つその長さを調整することができる既知の巻き取り装置を用いることができる。
【００４６】
（電力配線）
次に、図７及び図８を参照しつつ、電力配線４について説明する。図７及び図８において、電力配線４は、一方の配線として示されているが、電力配線４は、複数の個別配線の束である。すなわち、電力配線４は、有機ＥＬパネル２ａを構成する各色の有機ＥＬ素子に対して独立して電力を供給するための個別配線を有している。そして、電力配線４は、これらの個別配線をポリ塩化ビニルの柔軟性に富む絶縁体によって被覆する構造を有している。
【００４７】
また、図７に示すように、電力配線収納部５に収納される電力配線４の一端は、接続配線２７を介して電力制御回路２４上に設けられた接続端子２８に接続されている。これにより、電力制御回路２４から送出される電力が、接続配線２７及び電力配線４を介して面発光体４に供給されることになる。
【００４８】
更に、図８において示すように、棒状体３の両端に回動体部２２が設けられることによって筐体部２１と回動体部２２とが相対的に回転する。このような筐体部２１と回動体部２２との相対的に回転により、筐体部２１か吊り下げられた電力配線４は、棒状体３の伸長方向（Ｘ方向）を回動軸として回動自在となる。換言すれば、電力配線４は、棒状体３の周方向において移動自在であるといえる。
【００４９】
＜照明装置の電気回路構成＞
本実施例に係る照明装置１を構成する電気回路の具体的構成について、図９を参照しつつ詳細に説明する。ここで、図９は本実施例に係る照明装置１の部分的な電気回路図である。なお、図９においては、２枚の有機ＥＬパネル２ａの一方のみを示した電気回路構成を説明するが、他方の有機ＥＬパネル２ａについても同様の電気回路構成となるため、その説明は省略する。
【００５０】
図９から分かるように、有機ＥＬパネル２ａは、赤色光を発する複数の有機ＥＬ素子１２Ｒ、緑色光を発する複数の有機ＥＬ素子１２Ｇ、及び青色光を発する複数の有機ＥＬ素子１２Ｂから構成されている。また、図９に示すように、電力制御回路２４は、複数のスイッチＳＷ１〜ＳＷ６から構成される素子切替回路３１と、複数の定電流回路ＣＡ１〜ＣＡ３から構成される定電流回路群３２と、素子切替回路３１及び定電流回路群３２を制御する制御部３３から構成されている。なお、図９に示されている有機ＥＬ素子１２、スイッチＳＷ１〜ＳＷ６、及び定電流回路ＣＡ１〜ＣＡ３は、有機ＥＬパネル２ａ、素子切替回路３１、及び定電流回路３２を構成する一部である。また、有機ＥＬパネル２ａの大型化を図ることにより、有機ＥＬパネル２ａを構成する有機ＥＬ素子１２の素子数が増加すれば、スイッチ及び定電流回路の数量も増加することになる。
【００５１】
より具体的な電気的な接続として、図５に示すように、発光色が赤色の有機ＥＬ素子１２Ｒのアノード（陽極１５）同士は、スイッチＳＷ１及びスイッチＳＷ４を介して電気的に接続され、且つそれぞれのアノードが定電流回路ＣＡ１に接続されている。また、有機ＥＬ素子１２Ｒのカソード（陰極１７）は、接地されている（すなわち、グランド電位に接続されている）。このような接続構成により、２個の有機ＥＬ素子１２Ｒによって１つの素子群が構成されている。発光色が緑色の有機ＥＬ素子１２Ｇのアノード同士は、スイッチＳＷ２及びスイッチＳＷ５を介して電気的に接続され、且つそれぞれのアノードが定電流回路ＣＡ２に接続されている。また、有機ＥＬ素子１２Ｇのカソードは、接地されている。このような接続構成により、２個の有機ＥＬ素子１２Ｇによって１つの素子群が構成されている。発光色が青色の有機ＥＬ素子１２Ｂのアノード同士は、スイッチＳＷ３及びスイッチＳＷ６を介して電気的に接続され、且つそれぞれのアノードが定電流回路ＣＡ３に接続されている。また、有機ＥＬ素子１２Ｂのカソードは、接地されている。このような接続構成により、２個の有機ＥＬ素子１２Ｂによって１つの素子群が構成されている。そして、各定電流源回路ＣＡ１〜ＣＡ３は外部電源Ｖｃｃに接続されている。なお、図９では、説明の便宜上２つずつの有機ＥＬ素子１２で各素子群を構成しているが、各素子群における有機ＥＬ素子１２の数はこれに限定されるものではなく、より多くの有機ＥＬ素子１２よって各素子群を構成してもよい。
【００５２】
制御部３３は、中央演算処理装置（ＣＰＵ：Central Processing Unit）等の一般的な半導体集積回路から構成され、有機ＥＬパネル２ａの発光を制御している。すなわち、制御部３３は、定電流回路ＣＡ１〜ＣＡ３を独立して制御し、各有機ＥＬ発光素子１２に供給される駆動電流の電流値を調整する。これにより、各有機ＥＬ発光素子１２から放射される各色の光の量が調整され、有機ＥＬパネル２ａから放射される合成光の輝度及び色（すなわち、発光色）を自在に変化させることができる。
【００５３】
また、制御部３３は、スイッチＳＷ１〜ＳＷ６独立してオン・オフ駆動することにより、素子群単位又は素子単位で駆動電流の供給先を選択的に変更し、有機ＥＬパネル２ａの発光色を制御する。例えば、スイッチＳＷ１及びスイッチＳＷ４のみをオン状態にすることにより、有機ＥＬ素子１２Ｒのみに駆動電流が供給され、有機ＥＬパネル２ａから放射される光は赤色となる。また、スイッチＳＷ２及びスイッチＳＷ５のみをオン状態にすることにより、有機ＥＬ素子１２Ｇのみに駆動電流が供給され、有機ＥＬパネル２ａから放射される光は緑色となる。更に、スイッチＳＷ３及びスイッチＳＷ６のみをオン状態にすることにより、有機ＥＬ素子１２Ｂのみに駆動電流が供給され、有機ＥＬパネル２ａから放射される光は青色となる。すなわち、有機ＥＬパネル２ａからは、白色光等の合成光だけでなく、有機ＥＬ素子１２Ｒ、１２Ｇ、１２Ｂのそれぞれの発光色の光を単独で放射することもできる。そして、上述した３つの素子群のうちから２つを選択して駆動電流を供給することで、有機ＥＬパネル２ａから選択した２色の合成光（例えば、シアン或いはマゼンダの発光色の光）を放射することも可能である。
【００５４】
なお、上記の制御例は定電流値の制御を主とした制御方式例であるが、図９において各スイッチＳＷ１からスイッチＳＷ１２を周期的にオン・オフ駆動させ、ＤＵＴＹを可変するＰＷＭ制御としてもよい。
【００５５】
更に、本実施例においては、２枚の有機ＥＬパネル２ａを同時且つ同様に駆動させていたが、２枚の有機ＥＬパネル２ａを独立して駆動させてもよい。例えば、各有機ＥＬパネル２ａの素子群ごとに別々のスイッチ及び定電流回路を設け、２枚の有機ＥＬパネル２ａを独立して駆動させてもよい。このような独立駆動を行うことにより。２枚の有機ＥＬパネル２ａの発光タイミング、発光色、色度、色温度等の発光特性を変化させることができる。具体的には、有機ＥＬパネル２ａのすべてを白色又は有色で発光させることもでき、或いは一方の有機ＥＬパネル２ａを赤色で発光させ、他の方の有機ＥＬ面発光体２ａを緑色で発光させることもできる。これにより、照明装置１による光の照射を多彩にし、且つ照明装置の利用者に対して優れた演出効果を奏することになる。
【００５６】
＜照明装置の取り付け＞
次に、図１０乃至図１７を参照しつつ、様々な形状の照明装置用取付部に対して、本実施例に係る照明装置１の取付方法を詳細に説明する。図１０乃至図１７は、本実施例に係る照明装置１を照明装置用取付部に取り付けた際のＹＺ平面図である。なお、図１０乃至図１７におけるＹ方向及びＺ方向は、図１におけるＹ方向及びＺ方向に対応している。
【００５７】
先ず、図１０乃至図１３を参照しつつ、照明装置用取付部の一例である一灯式の富士型取付部４１への照明装置１の取付方法を説明する。図１０乃至図１３に示すように、一灯式の富士型取付部４１は、既知の蛍光灯を取り付けるために天井板４２に以前から固定されていた蛍光灯用の支持装置である。すなわち、本実施例に係る照明装置１のために新たに設置された支持装置ではなく、既存の支持装置である。また、一灯式の富士型取付部４１は、天井板４２に固定された本体部（図示せず）、当該本体部を覆う反射板４３、当該本体部及び反射板４３から−Ｚ方向に突出した一対の支持部であるソケット４４を有している。ここで、反射板４３は、従来の蛍光灯を取り付けた場合に、当該蛍光灯から照射される光を反射するために設けられているため、本実施例に係る照明装置１を取り付ける際には取り外してもよい。一方、ソケット４４は、本実施例に係る照明装置１の棒状体３を支持するための部材であり、接続部２３を介して電力制御回路２４に外部電力を供給できる構造を有している。具体的に、ソケット４４は、接続部２３と接触する部分が金属等の導電性部材から構成されている。
【００５８】
棒状体３の外形が従来の蛍光灯と同様であるため、照明装置１の棒状体３の取付方法は、従来の蛍光灯と同様に行うことができる。具体的には、先ず、電力配線４を引っ張り、電力配線４を所望の長さだけ引き出す。これは、棒状体３をソケット４４に取り付ける作業の際に、面発光体２が邪魔にならないようにするためである。次に、ソケット４４が回転型の場合には、棒状体３の両端に位置する接続部２３をソケット４４の開口部（すなわち、電気的な接続口）に嵌め込み、面発光体２２が棒状体３の直下に位置するように回動体部２２を回転させ、棒状体３をソケット４４に取り付ける。一方、ソケット４４が差込型の場合には、接続部２３をソケット４４の開口部に挿入して棒状体３の一端をソケット４４の一方に差込む。この際、面発光体２２が棒状体３の直下に位置するように、必要に応じて回動体部２２を回動させて、接続部２３とソケット４４の開口部との相対的な位置関係を調整する。その後、棒状体３の他端も同様に、ソケット４４の他方に差込む。この際も同様に、回動体部２２を回動させて、接続部２３とソケット４４の開口部との相対的な位置関係を調整する。ソケット４４が回転型又は差込型のいずれであっても、このような取付作業により、面発光体２が棒状体３の直下に位置するように配置され、外部電源から供給される外部電力が電力制御回路２４、更には制御後の電力が面発光体２に供給可能になる。このような棒状体３がソケット４４によって支持されている状態を図１０に示す。
【００５９】
棒状体３がソケット４４によって支持されている状態において、ヒンジ２ｂを調整することにより、２枚の有機ＥＬパネル２ａの接合角度を調整する。例えば、電力配線４が巻上げられた際に、面発光体２の中央部が棒状体３に接触し、且つ面発光体２の端部が天井板４２に接触するように調整してもよい。その後、面発光体２を下方（−Ｚ方向）に引っ張り、電力配線収納部２５のストッパ機構を解除し、電力配線４を電力配線収納部２５に引き込ませ、面発光体２を上方（＋Ｚ方向）に移動させる。そして、面発光体２の中央部が棒状体３に接触すると同時に、面発光体２の端部が天井板４２に接触し、電力配線４の巻き上げが止まる。このような照明装置１の状態を、図１１に示す。
【００６０】
なお、上述した２枚の有機ＥＬパネル２ａの接合角度の調整が不十分な場合や、当該調整を行わなかった場合には、電力配線４の巻き上げ後に２枚の有機ＥＬパネル２ａの接合角度を調節してもよい。例えば、図１２に示すように、面発光体２の端部が天井板４２に接触しているものの、面発光体２の中央部が棒状体３から離間している場合には、２枚の有機ＥＬパネル２ａの接合角度を大きくするように調整し、更なる電力配線４の巻き上げを行って面発光体２を棒状体３及び天井板４２に適合（フィット）させる。また、図１３に示すように、面発光体２の中央部が棒状体３に接触しているものの、面発光体２の端部が天井板４２から離間している場合には、２枚の有機ＥＬパネル２ａの接合角度を小さくするように調整し、面発光体２の端部を天井板４２に接触させる。このような調整を行うことで、面発光体２を富士型取付部４１及び天井板４２に適合させ、照明装置１の外観をより好ましい状態にすることが可能になる。
【００６１】
上述した実施例においては、面発光体２の中央部を棒状体３に接触させつつ、面発光体２の端部を天井板４２に接触させることで、面発光体２と天井板４２との適合を図っていたが、面発光体２と天井板４２又は棒状体３との間に隙間を意図的に設けても良い。すなわち、図１２又は図１３の状態で照明装置１の取付作業を終了してもよい。更には、面発光体２を天井板４２から離間し、棒状体３から面発光体２から吊り下げた状態（図１０の状態）で、照明装置１の取付作業を終了してもよい。すなわち、照明装置１の取付場所の環境に応じて、最適な取付形態を実現することができる。
【００６２】
次に、図１４乃至図１６を参照しつつ、照明装置取付部の一例である一灯式の天井埋込型取付部５１への照明装置１の取付方法を説明する。図１４乃至図１６に示すように、一灯式の天井埋込型取付部５１は、既知の蛍光灯を取り付けるために天井板５２に以前から固定されていた蛍光灯用の支持装置である。すなわち、本実施例に係る照明装置１のために新たに設置された支持装置ではなく、既存の支持装置である。また、一灯式の天井埋込型取付部５１は、天井板５２の開口部に嵌め込まれた本体部（図示せず）、当該本体部を覆う反射板５３、当該本体部及び反射板５３から−Ｚ方向に突出した一対の支持部であるソケット５４を有している。従って、一灯式の天井埋込型取付部５１は、天井板５２の開口によって形成された天井裏空間５５に設置されていることになる。ここで、反射板５３は、上述した一灯式の富士型取付部４１の場合と同様に、本実施例に係る照明装置１を設置する際には取り外してもよい。一方、ソケット５４は、上述した一灯式の富士型取付部４１の場合と同様に、本実施例に係る照明装置１の棒状体３を支持するための部材であり、接続部２３を介して電力制御回路２４に外部電力を供給できる構造を有している。上述した一灯式の富士型取付部４１の場合と同様に、ソケット５４は、接続部２３と接触する部分が金属等の導電性部材から構成され、その形態は、回転型又は差込型のいずれであってもよい。
【００６３】
照明装置１の棒状体３の取付方法は、従来の蛍光灯の場合及び上述した一灯式の富士型取付部４１の場合と同様に行うことができるため、その取付方法の説明は省略する。照明装置１の棒状体３をソケット５４に取り付けた状態において、ヒンジ２ｂを調整することにより、２枚の有機ＥＬパネル２ａの接合角度を１８０度にする。すなわち、２枚の有機ＥＬパネル２ａによって外形が平坦な面発光体２を形成する。この状態を図１４に示す。
【００６４】
その後、面発光体２を下方（−Ｚ方向）に引っ張り、電力配線収納部２５のストッパ機構を解除し、電力配線４を電力配線収納部２５に引き込ませ、面発光体２を上方（＋Ｚ方向）に移動させる。そして、面発光体２が天井板５２に接触すると、電力配線４の巻き上げが止まり、照明装置１の取付作業が完了する。このような照明装置１の状態を、図１５に示す。
【００６５】
また、図１６に示すように、面発光体２の非発光面側（ヒンジ２ｂが設置されている側９に、固着部５６を設けてもよい。このように固着部５６は、磁性体又は粘着テープ等の固定部材からなり、面発光体２を天井板４２に良好に固定するために用いられる。なお、磁性体を固着部５６として用いる場合には、天井板４２の一部も磁性体である必要がある。
【００６６】
ここで、回動体部２２は、筐体部２１に対して回動することになるため、回動体部２２が接続部２３を介して固定されている場合であっても、筐体部２１を回動体部２２に対して回動することができ、電力配線収納部２５から鉛直下方（−Ｚ方向）に吊り下がる電力配線を容易にＺ方向から傾けることができる。従って、上述したような固着部５６を設けることにより、天井空間５５を覆うことができる範囲内において、面発光体２の取付位置を自在に変更することが可能になる。これにより、複数の照明装置１が取り付けられる空間内において、照明装置１同士の配置関係を調整することが可能になり、当該空間内おける照明効果をより向上させることができる。
【００６７】
次に、図１７を参照しつつ、照明装置取付部の一例である二灯式の天井埋込型取付部６１への照明装置１の取付方法を説明する。図１７に示すように、二灯式の天井埋込型取付部６１は、既知の蛍光灯を取り付けるために天井板６２に以前から固定されていた蛍光灯用の支持装置である。すなわち、本実施例に係る照明装置１のために新たに設置された支持装置ではなく、既存の支持装置である。また、二灯式の天井埋込型取付部６１は、天井板６２の開口部に嵌め込まれた本体部６３、及び本体部によって囲まれた空間を２つの照明取付領域６４に分ける反射板６５を有している。更に、二灯式の天井埋込型取付部６１は、本体部６３及び反射板６５から−Ｚ方向に突出した一対の支持部であるソケット６６を２組有している。従って、二灯式の天井埋込型取付部６１は、天井板６２の開口によって形成された天井裏空間６７に設置されていることになる。ソケット６６は、上述した一灯式の富士型取付部４１の場合と同様に、本実施例に係る照明装置１の棒状体３を支持するための部材であり、接続部２３を介して電力制御回路２４に外部電力を供給できる構造を有している。上述した一灯式の富士型取付部４１の場合と同様に、ソケット６６は、接続部２３と接触する部分が金属等の導電性部材から構成され、その形態は、回転型又は差込型のいずれであってもよい。
【００６８】
照明装置１の棒状体３の取付方法は、従来の蛍光灯の場合及び上述した一灯式の富士型取付部４１の場合と同様に行うことができるため、その取付方法の説明は省略する。２個の照明装置１の各棒状体３をソケット６６に取り付けた状態において、ヒンジ２ｂを調整することにより、２枚の有機ＥＬパネル２ａの接合角度を１８０度に調整する。すなわち、２枚の有機ＥＬパネル２ａによって外形が平坦な面発光体２を２個形成する。
【００６９】
その後、各面発光体２を下方（−Ｚ方向）に引っ張り、電力配線収納部２５のストッパ機構を解除し、電力配線４を電力配線収納部２５に引き込ませ、面発光体２を上方（＋Ｚ方向）に移動させる。そして、各面発光体２が天井板６２及び反射板６５に接触すると、電力配線４の巻き上げが止まり、照明装置１の設置が完了する。このように、照明取付領域６４を覆うようにして２個の照明装置１を設置した状態を図１７に示す。
【００７０】
＜本実施例の効果＞
本実施例において、照明装置１は、面発光体２と、一対の支持部であるソケットに着脱自在な一対の接続部２３が両端に配置された棒状体３と、面発光体２を棒状体３から吊り下げるとともに、面発光体２への電力供給路をなす電力配線４と、を有している。そして、棒状体３が回動自在な回動体部２２を有しているため、当該電力配線４は棒状体３の周方向において移動自在となる。換言すれば、当該電力配線４は棒状体３の伸長方向を回動軸として回動自在である。このような構造により、照明装置１は、特殊な工具又は専用の取付機構を新たに設けることなく、既存の蛍光灯のソケットに容易に着脱することができる。
【００７１】
また、本実施例においては、比較的に軽量な光源である面発光体２を用い、且つ従来の蛍光灯と同様な外形の棒状体３を用いているため、照明装置１自体の取付作業の負荷が低減され、従来の蛍光灯と同様に簡単に取り付けることができる。
【００７２】
更に、本実施例においては、棒状体３の内部に電力配線４を収納し且つその取り出し長さ自在に調整することができる電力配線収納部２５が設けられている。このため、棒状体３から面発光体２までの距離を自在に変更することができるため、照明装置１の取付環境に適合した取り付けを行うことが可能になる。そして、照明装置１を視認する者に対して、美観を起こさせることになる。
【００７３】
そして、本実施例においては、面発光体２として有機ＥＬパネル２ａを用いることにより、広い範囲にわたる放熱が可能となり、照明装置１自在の温度上昇を防止することができる。
【００７４】
＜変形例＞
上述した照明装置１の構造は一例に過ぎず、各種の構成部材の構造及び形状は、本発明の要旨を変更しない範囲において任意に変更することが可能である。以下において、照明装置１の構成部材の変形例を説明する。
【００７５】
（棒状体）
上述した実施例においては、棒状体３の両端に回動体部２２が設けられることによって筐体部２１と回動体部２２とが相対的に回転するため、筐体部２１から吊り下げられた電力配線４を棒状体３の伸長方向（Ｘ方向）を回動軸として回動自在とすることができたが、回動体部２２の位置は上述した実施例に限られることはない。回動体部２２の位置を変更し、筐体部２１から吊り下げられた電力配線４を棒状体の伸長方向を回動軸として回動自在とすることができる棒状体１０３について、図１８を参照しつつ詳細に説明する。ここで、図１８は、図８と同様にして示す、棒状体１０３の一端部分の拡大図である。なお、上述した実施例と同一の構成部材については、同一の符号を付し、その説明を省略する。また、図１８においては棒状体１０３の一端の構造のみを示しているが、他端の構造も同一であるため、その説明は省略する。
【００７６】
図１８に示すように、棒状体１０３は、筐体部２１、筐体部２１の両端に設けられた第１回動体部１７１、及び棒状体１０３の両端に位置し、接続部２３が取り付けられた第２回動体部１７２を有している。すなわち、棒状体１０３は、上述した実施例に係る棒状体３とは異なり、３つの部材（筐体部２１、第１回動体部１７１、及び第２回動体部１７２）が連結されることによって構成されている。ここで、第２回動体部１７２は、上述した実施例に係る棒状体３の回動体部２２に対応している。従って、第１回動体部１７１は、棒状体１０３及び第２回動体部１７２に対して回動自在であり、第２回動体部１７２は第１回動体部１７１に対して回動自在である。なお、棒状体１０３と第１回動体部１７１との連結するための構造、及び第１回動体部１７１と第２回動体部１７２との連結するための構造は、上述した実施例における棒状体３と回動体部２２との連結するための構造と同様であるため、その詳細な説明は省略する。
【００７７】
また、図１８に示すように、電力配線４は、第２回動体部１７２に設けられた貫通孔（図示せず）を経由して、棒状体１０３の内部に設けられた電力配線収納部２５と接続している。従って、第１回動体部１７１が回動することにより、棒状体１０３から吊り下げられた電力配線４が棒状体１０３の伸長方向を回動軸として回動自在となる。すなわち、電力配線４が、棒状体１０３の周方向において移動自在となる。このような第１回動体部１７１の回動により、棒状体１０３から電力配線４によって吊り下げられた面発光体２と棒状体１０３との配置関係を自在に調整することができる。
【００７８】
上述した実施例及び上述した変形例においては、回動体部を設けることにより、電力配線４を棒状体３、１０３の伸長方向を回動軸として回動自在としていたが、回動体部を設けることなく、電力配線４を棒状体の伸長方向を回動軸として回動自在にしてもよい。図１９を参照しつつ、このような変形例に係る棒状体２０３を詳細に説明する。ここで、図１９は、図８と同様にして示す、棒状体２０３の一端部分の拡大図である。なお、上述した実施例と同一の構成部材については、同一の符号を付し、その説明を省略する。また、図１９においても棒状体２０３の一端の構造のみを示しているが、他端の構造も同一であるため、その説明は省略する。
【００７９】
図１９に示すように、棒状体２０３は、筐体部２２１、及び筐体部２２１の両端に取付られた接続部２３を有している。すなわち、本変形例に係る棒状体２０３は、上述した実施例及び変形例に係る棒状体３、１０３とは異なり、単一の筐体から構成されている。そして、筐体部２２１には筐体部２２１の周方向に沿って貫通孔２２１ａが形成され、貫通孔２２１ａから電力配線４が吊り下げられている。このような構造から、電力配線４は、貫通孔２２１ａに沿って移動自在となる。すなわち、電力配線４は、棒状体２０３の伸長方向を回転軸として回動自在となる。
【００８０】
上述した実施例においては、接続部２３を介して外部電力を電力制御回路２４に供給していたが、棒状体３の両端に位置する接続部２３を単なる接続機構の一部とし、電力制御回路２４に外部電力を供給するための経路を別途設けてもよい。このような変形例について、図２０を参照しつつ詳細に説明する。ここで、図２０は、図７と同様にして示す、ＸＺ平面における棒状体３０３の拡大断面図である。なお、上述した実施例と同一の構成部材については、同一の符号を付し、その説明を省略する。
【００８１】
図２０から分かるように、棒状体３０３は、環状の筐体部２１、筐体部２１の両端に回動自在に取付られた回動体部２２、回動体部２２に取付られた接続部３２３、筐体部２１の内部に配置された電力制御回路２４、筐体部２１の両端に配置された電力配線収納部２５、筐体部２１に表面部分に設けられた電源端子（電気的接続部）３８１、及び電源端子３８１と電力制御回路２４とを接続する接続配線３８２から構成されている。
【００８２】
電源端子３８１には、外部電力を供給するための専用のコネクタ３８３が接続される。これにより、外部電源から送出される外部電力が、電源端子３８１及び接続配線３８２を介して、電力制御回路２４に供給されることになる。
【００８３】
一方、接続部３２３は、導電性を有する部材から構成されている必要はなく、棒状体３をソケットによって支持させるために設けられている。接続部３２３は、例えば、プラスチック等の材料から構成されてもよいが、金属等の材料から構成されてもよい。
【００８４】
（面発光体）
上述した実施例においては、２枚の板状の有機ＥＬパネル２ａをヒンジ２ｂによって連結することによって面発光体２を構成していたが、１枚のフィルム状の有機ＥＬパネルを面発光体として用いてもよい。このような面発光体を備える照明装置４０１について、図２１及び図２２を参照しつつ説明する。ここで、図２１及び図２２は、変形例に係る照明装置４０１を富士型取付部４１に取り付けた際のＹＺ平面図である。なお、図２１及び図２２におけるＹ方向及びＺ方向は、図１におけるＹ方向及びＺ方向に対応している。
【００８５】
本変形例に係る照明装置４０１に用いられる面発光体４０２は、上述した実施例の面発光体２及びそれを構成する有機ＥＬパネル２ａとは異なり、有機ＥＬパネルを構成する透明基板がフィルム状であってポリイミド又はポリエチレンナフタレート等の可撓性を備える部材から構成されている。従って、面発光体４０２は、可撓性を備える有機ＥＬパネルから構成され、フィルム状の一枚構造を有している。例えば、面発光体４０２を構成するフィルム状の透明基板には、樹脂等の薄く加工を施すことができる材料が用いられる。
【００８６】
このような可撓性を備える面発光体４０２を照明装置４０１に用いることにより、図２１に示すように、富士型取付部４１及び天井板４２の外形に沿って湾曲させて面発光体４０２を取り付けることができる。また、図２２に示すように、面発光体４０２の両端のみを天井体４２に接触させ、ＹＺ平面の形状が略Ｕ字状となるようにしてもよい。この場合には、面発光体４０２の全体的な形状は、棒状体３の外側を覆うような樋状となる。
【００８７】
このように、可撓性を備える面発光体４０２を照明装置４０１に用いることにより、様々な形状の照明装置取付部及び天井板に応じて、照明装置４０１の発光面の形状を変形することができ、取付環境に応じた照明装置４０１の最適な取り付けを行うことが可能になる。
【符号の説明】
【００８８】
１、４０１    照明装置
２、４０２    面発光体
２ａ    有機エレクトロルミネッセンスパネル（有機ＥＬパネル）
２ｂ    ヒンジ
３、１０３、２０３、３０３    棒状体
４    電力配線
１１    透明基板
１２、１２Ｒ、１２Ｇ、１２Ｂ    有機ＥＬ素子
１３    光拡散部
１４    封止部
１５、１５Ｒ、１５Ｇ、１５Ｂ    陽極
１６、１６Ｒ、１６Ｇ、１６Ｂ    有機層
１７、１７Ｒ、１７Ｇ、１７Ｂ    陰極
２１、２２１    筐体部
２１ａ    空洞
２１ｂ    凸部
２１ｃ    貫通孔
２２    回動体部
２２ａ    凸部
２３、３２３    接続部
２４    電力制御回路
２５    電力配線収納部
２７    接続配線
２８    接続端子
３１    素子切替回路
３２    定電流回路群
３３    制御部
４１    富士型取付部
４２、５２、６２    天井板
４３、５３、６５    反射板
４４、５４、６６    ソケット
５１    天井埋込型取付部
５５、６７    天井空間
５６    固着部
６１    天井埋込型取付部
６３    本体部
６４    照明取付領域
１７    １第１回動体部
１７２    第２回動体部
２２１ａ    貫通孔
３２３    接続部
３８１    電源端子（電気的接続部）
３８２    接続配線
３８３    コネクタ
ＳＷ１〜ＳＷ６    スイッチ
ＣＡ１〜ＣＡ３    定電流回路
Ｖｃｃ    外部電源
【図１】
2014078320.tif 000003
【図２】
2014078320.tif 000004
【図３】
2014078320.tif 000005
【図４】
2014078320.tif 000006
【図５】
2014078320.tif 000007
【図６】
2014078320.tif 000008
【図７】
2014078320.tif 000009
【図８】
2014078320.tif 000010
【図９】
2014078320.tif 000011
【図１０】
2014078320.tif 000012
【図１１】
2014078320.tif 000013
【図１２】
2014078320.tif 000014
【図１３】
2014078320.tif 000015
【図１４】
2014078320.tif 000016
【図１５】
2014078320.tif 000017
【図１６】
2014078320.tif 000018
【図１７】
2014078320.tif 000019
【図１８】
2014078320.tif 000020
【図１９】
2014078320.tif 000021
【図２０】
2014078320.tif 000022
【図２１】
2014078320.tif 000023
【図２２】
2014078320.tif 000024